(57)【要約】【課題】  利用者が簡単に音場を設定し得る音楽再生装置の音場設定システムを提供する。【解決手段】  遠隔操作装置である電子早見本４６や携帯電話機４７による入力操作に応じてカラオケ装置１０における周波数帯域毎の出力特性を設定する出力特性設定手段１３６と、その出力特性設定手段１３６により設定された出力特性を記憶する記憶装置１２６とを、含み、前記出力特性設定手段１３６は、前記記憶装置１２６に記憶された出力特性を読み出して設定し得ることから、前記カラオケ装置１０による演奏を楽しむ利用者の所望に応じて出力特性を変更でき且つ前記記憶装置１２６にその出力特性を記憶し得ることに加え、一度設定された出力特性をその記憶装置１２６から読み出して再設定することができる。【選択図】  図７
2006011190.tif 000002
【特許請求の範囲】
【請求項１】
複数の演奏曲のうちから選択入力された所望の演奏曲を出力させる音楽再生装置の音場設定システムであって、
所定の遠隔操作装置による入力操作に応じて前記音楽再生装置における周波数帯域毎の出力特性を設定する出力特性設定手段と、
該出力特性設定手段により設定された出力特性を記憶する記憶装置と
を、含み、
前記出力特性設定手段は、前記記憶装置に記憶された出力特性を読み出して設定し得ることを特徴とする音楽再生装置の音場設定システム。
【請求項２】
前記出力特性設定手段は、最後に行われた出力特性の設定から所定時間が経過した場合には、該出力特性を予め定められた値に再設定するものである請求項１の音楽再生装置の音場設定システム。
【発明の詳細な説明】
【技術分野】
【０００１】
本発明は、音楽再生装置の音場設定システムの改良に関する。
【背景技術】
【０００２】
複数の演奏曲のうちから選択された所望の演奏曲を出力させる音楽再生装置が知られている。例えば、カラオケボックス等で使用されるカラオケ装置がそれである。斯かるカラオケ装置によれば、予め記憶装置に記憶された複数の演奏曲から選択された所望の演奏曲の音楽情報を出力させると共に、その演奏曲の歌詞情報を含む映像をその出力に同期して画面に表示させることで、所望の歌のカラオケ演奏を楽しむことができる。
【０００３】
ところで、音楽再生装置から出力される音の聞こえ方は、その音楽再生装置が設置されている部屋の広さ、形、壁の材質等に応じて変化する。そこで、設置場所に応じて最適な音場を設定できる機能を備えた音楽再生装置が提案されている。例えば、特許文献１に記載された音楽再生装置がそれである。この音楽再生装置によれば、音声信号を取り込むマイクと、そのマイクにより取り込まれた音声信号を各周波数帯域に分割するＤＳＰ（Digital Signal Processor）部と、そのＤＳＰ部により各周波数帯域に分割された音声信号を周波数特性として表示する表示部とを備えていることから、その表示部に表示された周波数特性に基づいてマニュアル操作により音声信号のイコライジング加工等を行うことにより、設置場所に応じた所望の音場を実現できる。
【０００４】
【特許文献１】特開平１０−５５１８５号公報
【０００５】
しかし、前記従来の技術においては、通常の演奏では用いない専用の音場設定スイッチを押した後、前述したように専用のマイクから音声情報を取り込みながらマニュアル操作により音場設定を行うというように、専門の知識を有する者が前記音楽再生装置の設置に際して乃至は定期的に設定を行うのが一般的であった。そのため、前記音楽再生装置による演奏を楽しむ利用者が出力特性を変更するのは実質不可能であり、利用者が簡単に音場を設定し得る音楽再生装置の音場設定システムの開発が求められていた。
【発明の開示】
【発明が解決しようとする課題】
【０００６】
本発明は、以上の事情を背景として為されたものであり、その目的とするところは、利用者が簡単に音場を設定し得る音楽再生装置の音場設定システムを提供することにある。
【課題を解決するための手段】
【０００７】
斯かる目的を達成するために、本発明の要旨とするところは、複数の演奏曲のうちから選択入力された所望の演奏曲を出力させる音楽再生装置の音場設定システムであって、所定の遠隔操作装置による入力操作に応じて前記音楽再生装置における周波数帯域毎の出力特性を設定する出力特性設定手段と、その出力特性設定手段により設定された出力特性を記憶する記憶装置とを、含み、前記出力特性設定手段は、前記記憶装置に記憶された出力特性を読み出して設定し得ることを特徴とするものである。
【発明の効果】
【０００８】
このようにすれば、所定の遠隔操作装置による入力操作に応じて前記音楽再生装置における周波数帯域毎の出力特性を設定する出力特性設定手段と、その出力特性設定手段により設定された出力特性を記憶する記憶装置とを、含み、前記出力特性設定手段は、前記記憶装置に記憶された出力特性を読み出して設定し得ることから、前記音楽再生装置による演奏を楽しむ利用者の所望に応じて出力特性を変更でき且つ前記記憶装置にその出力特性を記憶し得ることに加え、一度設定された出力特性をその記憶装置から読み出して再設定することができる。すなわち、利用者が簡単に音場を設定し得る音楽再生装置の音場設定システムを提供することができる。
【０００９】
ここで、好適には、前記出力特性設定手段は、最後に行われた出力特性の設定から所定時間が経過した場合には、その出力特性を予め定められた値に再設定するものである。このようにすれば、前記音楽再生装置による演奏を楽しむ利用者が入れ替わる毎に出力特性を元に戻す煩雑さを解消できるという利点がある。
【実施例】
【００１０】
以下、本発明の好適な実施例を図面に基づいて詳細に説明する。
【００１１】
図１は、本発明の音場設定システムが好適に適用される音楽再生装置の一例であるカラオケ装置１０の構成を説明する図である。この図１に示すように、上記カラオケ装置１０は、ＣＲＴ等の映像表示装置１２と、ディスクプレーヤ１４と、ビデオミキサ１６と、アンプミキサ１８と、スピーカ２０と、音声入力装置であるマイク２２と、操作パネル２４と、中央演算処理装置であるＣＰＵ２６と、ＲＯＭ２８と、ＲＡＭ３０と、記憶装置であるハードディスク３２と、モデム３４と、ＣＲＴコントローラ３６と、上記操作パネル２４等からの入力信号を処理する入出力インターフェイス３８と、音源であるシンセサイザ４０と、遠隔操作装置であるリモコン４４、電子早見本４６、携帯電話機４７等からのリモコン信号を受信するためのリモコン受信部４２と、上記カラオケ装置１０における周波数帯域毎の出力特性を変更するＤＳＰ（Digital Signal Processor）４３とを、備えて構成されている。
【００１２】
上記ＣＰＵ２６は、上記ＲＡＭ３０の一時記憶機能を利用しつつ上記ＲＯＭ２８に予め記憶された所定のプログラムに基づいて電子情報を処理・制御する所謂コンピュータであり、所定のカラオケ演奏曲が選曲された場合、上記ハードディスク３２から上記ＲＡＭ３０に選曲されたカラオケ演奏曲の演奏情報及び歌詞情報等を読み出したり、カラオケ演奏曲の演奏が進行するのに応じてそのＲＡＭ３０から上記シンセサイザ４０へ演奏情報を送信したり、歌詞情報に基づいて歌詞文字映像を生成して上記ＣＲＴコントローラ３６へ送ったり、選曲時には曲名文字映像を生成して上記ＣＲＴコントローラ３６へ送ったり、上記ディスクプレーヤ１４を制御して所定の背景映像を再生させる等の基本的な制御に加えて、後述する音場設定制御を実行する。
【００１３】
前記操作パネル２４は、前記カラオケ装置１０の利用者が歌いたいカラオケ演奏曲を選択したり、演奏曲の音程を調整したり、演奏と歌との音量バランスを調整したり、その他、エコー、音量、トーン等の各種調整を行うための操作釦（スイッチ）或いはつまみを備えた入力装置である。前記カラオケ装置１０には、前記操作パネル２４の一部機能を遠隔で実行するための遠隔操作装置として機能するリモコン４４及び電子早見本４６が備えられている。また、後述するようにリモコン送信部１１０を備えた携帯電話機４７も同様に遠隔操作装置として機能する。前記リモコン受信部４２は、それら遠隔操作装置から送信されるリモコン信号を受信して前記ＣＰＵ２６へ供給する。
【００１４】
前記ディスクプレーヤ１４は、利用者が歌詞を参照しながら歌を歌う際に前記映像表示装置１２に表示される背景映像を記憶したＣＤやＤＶＤを再生する背景映像再生装置である。また、前記ＣＲＴコントローラ３６は、前記ＣＰＵ２６において生成された歌詞文字映像等の文字映像（テロップ）を出力する文字映像出力装置であり、前記ビデオミキサ１６は、前記ＣＰＵ２６において生成され且つ前記ＣＲＴコントローラ３６から出力される文字映像と、前記ディスクプレーヤ１４により再生される背景映像とを合成して前記映像表示装置１２に表示させる映像合成装置である。
【００１５】
前記シンセサイザ４０は、前記ハードディスク３２から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式で圧縮されたＭＩＤＩデータであり、そのＭＩＤＩデータに応じて前記シンセサイザ４０により生成された音楽信号は、アナログ信号に変換されて前記ＤＳＰ４３に供給された後、所定の出力特性にて前記アンプミキサ１８へ送られる。そのアンプミキサ１８では、送られてきた音楽信号と前記マイク２２を介して入力された利用者の歌声とがミキシングされ、それらの信号が電気的に増幅されて前記スピーカ２０から出力される。
【００１６】
前記ハードディスク３２には、カラオケ演奏曲それぞれのタイトル情報、演奏情報、及び歌詞情報等から成り選曲番号により識別されるカラオケ情報を記憶するカラオケデータベースが設けられている。また、前記モデム３４は、前記カラオケ装置１０を公衆電話回線、有線放送用ケーブル、又は光ファイバ等による通信回線４８に接続するための装置である。カラオケボックス等の店舗にそれぞれ備えられた複数のカラオケ装置１０は、上記通信回線４８を介してカラオケサービス提供会社のセンタ装置５０に接続されており、それら複数のカラオケ装置１０によって常に新しい曲が演奏可能とされるように、随時新曲のカラオケ情報が上記センタ装置５０から上記通信回線４８を介してダウンロードされ、前記ハードディスク３２のカラオケデータベースに記憶されるようになっている。すなわち、前記カラオケ装置１０は、電気通信回線を通じて各種情報の送受信を実行し得る通信カラオケ装置である。
【００１７】
図２は、前記ＤＳＰ４３の構成を説明する図である。この図２に示すように、前記ＤＳＰ４３は、パラメトリックイコライザ５２、グラフィックイコライザ５４、エンハンサ５６、アイソレータ５８、エキスパンダ６０、及びコンプレッサ６２を備えて構成されており、前記ＣＰＵ２６からの指令に従って前記アンプミキサ１８に供給される音楽信号の出力特性を制御する。上記パラメトリックイコライザ５２及びグラフィックイコライザ５４は、例えば４乃至３１帯域といった複数の周波数帯域毎のゲインすなわち音圧レベルを変更する。上記エンハンサ５６は、所定の周波数帯域の音をきらびやかにする。上記アイソレータ５８は、複数の周波数帯域別に音を分割する。上記エキスパンダ６０は、所定の周波数帯域の音を伸張する。上記コンプレッサ６２は、所定の周波数帯域の音を圧縮する。
【００１８】
図３は、前記電子早見本４６の構成を説明するブロック線図である。この図３に示すように、前記電子早見本４６は、ディスプレイ６４に所定の映像を表示させる表示装置６６と、その表示装置６６による表示を制御する表示制御部６８と、利用者の指等によるディスプレイ６４への接触により入力を行うタッチパネル７０と、そのタッチパネル７０による入力を制御する入力制御部７２と、中央演算処理装置であるＣＰＵ７４と、ＲＯＭ７６と、ＲＡＭ７８と、フラッシュＲＯＭ等の記憶部８０と、図示しないクレイドルと接続するためのインターフェイス８２と、リモコン送信部８４とを、備えて構成されている。また、上記記憶部８０には、前記カラオケ装置１０のカラオケデータベースに記憶された多数のカラオケ情報それぞれに対応して曲名、アーティスト名、歌詞の歌い出し部分等の選曲案内情報が選曲番号毎に記憶されている。
【００１９】
上記ＣＰＵ７４は、上記ＲＡＭ７８の一時記憶機能を利用しつつ上記ＲＯＭ７６に予め記憶された所定のプログラムに基づいて電子情報を処理・制御する所謂コンピュータであり、上記記憶部８０から選曲案内情報を読み出し、上記表示装置６６を介してその選曲案内情報に基づく所定の案内映像を上記ディスプレイ６４に表示させたり、そのディスプレイ６４に表示された案内映像に従って上記タッチパネル７０による選曲入力が行われた場合、所定のカラオケ演奏曲を予約するための予約信号を上記リモコン送信部８４を介して前記カラオケ装置１０に送信する等の基本的な制御に加えて、後述する出力特性設定入力制御を実行する。また、上記ＣＰＵ７４は、上記インターフェイス８２及び図示しないクレイドルを介して前記通信回線４８に接続されるようになっており、前記センタ装置５０等との間で情報の送受信が可能とされている。
【００２０】
図４は、前記携帯電話機４７の構成を説明するブロック線図である。この図４に示すように、上記携帯電話機４７は、中央演算処理装置である制御部８６によりＲＯＭ８８に予め記憶されたプログラムに従って入力信号を処理するマイクロコンピュータシステムを備えており、複数の入力釦を備えた操作部９０からの入力に従って文字入力が実行されるように制御したり、その操作部９０の操作に応じて表示部９２に所定の映像を表示させたり、上記操作部９０から入力された電話番号に従って通信或いは通話チャンネルを成立させると共に相互の通信或いは通話が可能となるように制御したり、メールの作成及び送受信を制御したり、前記センタ装置５０との間で情報の送受信をする等の基本的な制御に加えて、後述する出力特性設定入力制御を実行する。通話状態においては、アンテナ９４を介して送受信部９６に通話先からの通話信号が受信され、その通話信号がモデム部９８を介して音声コーディック部１００においてデジタルコード信号から音声信号に変換された後、アナログフロントエンド１０２を介してスピーカ１０４から出力される。同時に、利用者の音声がマイクロフォン１０６により音声信号に変換され、上記アナログフロントエンド１０２を介して上記音声コーディック部１００に送られてデジタル信号に変換された後、上記モデム部９８、送受信部９６、及びアンテナ９４を介して通話先に向けて通信信号として送信される。また、前記携帯電話機４７は、所定の情報を記憶し得るフラッシュＲＯＭ等の記憶部１０８と、前記カラオケ装置１０へリモコン信号を送信するためのリモコン送信部１１０とを、備えている。
【００２１】
図５は、前記センタ装置５０の構成を説明するブロック線図である。この図５に示すように、前記センタ装置５０は、中央演算処理装置であるＣＰＵ１１２によりＲＡＭ１１６の一時記憶機能を利用しつつＲＯＭ１１４に予め記憶されたプログラムに従って信号処理を行う所謂マイクロコンピュータシステムを備えており、前記ＤＳＰ４３の出力特性の記憶管理制御等を実行する。また、ＣＲＴコントローラ１１８により制御されるＣＲＴ（Cathode-ray Tube）等の映像表示装置１２０と、インターフェイス１２２を介して接続されるキーボード等の入力装置１２４と、ハードディスク等の記憶装置１２６と、上記ＣＰＵ１１２を前記通信回線４８に接続するための装置であるモデム１２８とを、備えて構成されている。
【００２２】
上記記憶装置１２６には、前記ＤＳＰ４３において設定された出力特性を利用者の識別番号であるユーザＩＤ毎に記憶する出力特性データベース１３０が設けられている。図６は、この出力特性データベース１３０を例示する図である。この図６に示すように、上記出力特性データベース１３０には、例えば、前記電子早見本４６や携帯電話機４７の入力操作により設定し得る周波数帯域毎の音圧レベルが記憶されるようになっている。なお、この図６における「―」は、音圧レベルが設定されていない±０であることを示している。前記センタ装置５０は、前記通信回線４８を介してカラオケボックス等の店舗にそれぞれ備えられた複数のカラオケ装置１０に接続されており、それら複数のカラオケ装置１０との間でカラオケ情報をはじめとする情報の送受信が可能とされている。また、好適には、上記通信回線４８を介して前記電子早見本４６及び携帯電話機４７に接続され、それら電子早見本４６や携帯電話機４７により上記記憶装置１２６の出力特性データベース１３０から出力特性の読み込みが可能とされている。
【００２３】
図７は、本実施例の音場設定システム１３２を例示する図である。この図７に示す出力特性設定入力手段１３４は、前記カラオケ装置１０の遠隔操作装置である前記リモコン４４、電子早見本４６、携帯電話機４７等の制御部に機能的に備えられたものであり、出力特性設定手段１３６は、前記カラオケ装置１０のＣＰＵ２６に機能的に備えられたものである。
【００２４】
出力特性設定入力手段１３４は、所定の入力操作に応じて前記ＤＳＰ４３における周波数帯域毎の出力特性を設定するための入力を行う。例えば、前記電子早見本４６に含まれる出力特性設定手段１３４は、前記表示装置６６により前記ディスプレイ６４に図８に示すような音場設定画面を表示させた後、前記タッチパネル７０による入力操作に応じて前記リモコン送信部８４から前記カラオケ装置１０へ所定の出力特性を設定するためのリモコン信号を送信する。また、前記携帯電話機４７に含まれる出力特性設定手段１３４は、前記操作部９４による入力操作に応じて前記表示部９２に上述した図８と同様の音場設定画面を表示させた後、前記操作部９４による入力操作に応じて前記リモコン送信部１１０から前記カラオケ装置１０へ所定の出力特性を設定するためのリモコン信号を送信する。また、利用者の所望に応じて過去に設定された出力特性を前記センタ装置５０の記憶装置１２６に設けられた出力特性データベース１３０から読み出して前記ＤＳＰ４３における周波数帯域毎の出力特性として設定入力する。このようにして定められた前記ＤＳＰ４３の出力特性は、好適には、利用者の識別番号であるユーザＩＤと関連付けられて前記センタ装置５０の記憶装置１２６に設けられた出力特性データベース１３０に記憶される。
【００２５】
出力特性設定手段１３６は、前記出力特性設定入力手段１３４による入力に応じて前記ＤＳＰ４３における周波数帯域毎の出力特性を設定する。また、好適には、最後に行われた出力特性の設定から所定時間が経過した場合には、その出力特性を予め定められたデフォルト値に再設定する。このデフォルト値は、例えば、前記カラオケ装置１０がカラオケボックス等の店舗内に設置された際に設定された推奨出力特性である。また、上記出力特性設定手段１３６は、好適には、最後に出力特性の設定が行われてからその出力特性をデフォルト値に再設定するまでの時間を定め得るものであり、例えば、前記カラオケ装置１０の利用開始時に利用者のカラオケ演奏継続予定時間を聞いておき、その予定時間をデフォルト値に再設定するまでの時間として定めることで、その利用者は所望の音場設定にてカラオケ演奏を楽しむことができ、且つ店舗側では利用者が入れ替わる毎に出力特性を元に戻さずに済む。
【００２６】
図９は、前記カラオケ装置１０のＣＰＵ２６による音場設定制御を説明するフローチャートであり、所定の周期で繰り返し実行されるものである。なお、前記出力特性設定入力手段１３４は、前記カラオケ装置１０の遠隔操作装置である前記リモコン４４、電子早見本４６、携帯電話機４７等の制御部に機能的に備えられたものであるが、図９のフローチャートでは便宜上前記カラオケ装置１０側の制御を説明する。
【００２７】
先ず、前記出力特性設定入力手段１３４の動作に対応するステップ（以下、ステップを省略する）Ｓ１において、前記電子早見本４６や携帯電話機４７からの音場設定入力（出力特性設定入力）操作が行われる。次に、Ｓ２において、Ｓ１の入力に応じて前記ＤＳＰ４３における周波数帯域毎の出力特性が設定される。次に、Ｓ３において、最後に行われた出力特性の設定から所定時間が経過したか否かが判断される。このＳ３の判断が否定される場合には、それをもって本ルーチンが終了させられるが、Ｓ３の判断が肯定される場合には、Ｓ４において、前記ＤＳＰ４３の出力特性が予め定められたデフォルト値に再設定された後、本ルーチンが終了させられる。以上の制御において、Ｓ２乃至Ｓ４が前記出力特性設定手段１３６の動作に対応する。
【００２８】
このように、本実施例によれば、遠隔操作装置である電子早見本４６や携帯電話機４７による入力操作に応じて前記カラオケ装置１０における周波数帯域毎の出力特性を設定する出力特性設定手段１３６（Ｓ２乃至Ｓ４）と、その出力特性設定手段１３６により設定された出力特性を記憶する記憶装置１２６とを、含み、前記出力特性設定手段１３６は、前記記憶装置１２６に記憶された出力特性を読み出して設定し得ることから、前記カラオケ装置１０による演奏を楽しむ利用者の所望に応じて出力特性を変更でき且つ前記記憶装置１２６にその出力特性を記憶し得ることに加え、一度設定された出力特性をその記憶装置１２６から読み出して再設定することができる。すなわち、利用者が簡単に音場を設定し得るカラオケ装置１０の音場設定システム１３２を提供することができる。
【００２９】
また、前記出力特性設定手段１３６は、最後に行われた出力特性の設定から所定時間が経過した場合には、その出力特性を予め定められた値に再設定するものであるため、前記カラオケ装置１０による演奏を楽しむ利用者が入れ替わる毎に出力特性を元に戻す煩雑さを解消できるという利点がある。
【００３０】
以上、本発明の好適な実施例を図面に基づいて詳細に説明したが、本発明はこれに限定されるものではなく、更に別の態様においても実施される。
【００３１】
例えば、前述の実施例において、前記出力特性設定手段１３６により設定された出力特性は、前記センタ装置５０の記憶装置１２６に記憶されるものであったが、例えば、利用者の所有する携帯電話機４７の記憶部１０８に記憶されるものであってもよい。このようにすれば、前記センタ装置５０との間で情報の送受信を行うことなく過去に設定された出力特性を読み出して前記カラオケ装置１０へ送信することができる。
【００３２】
また、前述の実施例において、前記出力特性設定入力手段１３４は、利用者が出力特性を設定する上で参照させるために前述した図８に示すような音場設定画面を表示させ、周波数帯域毎の出力特性を変更させるものであったが、必ずしも周波数帯域毎の出力特性を直接入力させるものでなくともよく、利用者の所望に応じて前記ＤＳＰ４３の出力特性を変更し得るものであれば、遠隔操作装置である電子早見本４６や携帯電話機４７による入力操作の態様は問わない。
【００３３】
また、前述の実施例では、前記電子早見本４６や携帯電話機４７を遠隔操作装置として前記ＤＳＰ４３の出力特性を設定する態様について説明したが、前記リモコン４４等の他の遠隔操作装置を本発明に適用することも当然に考えられる。また、前述した出力特性設定入力を行うためには、少なくとも１つの遠隔操作装置があれば足りる。
【００３４】
また、前述の実施例では、前記電子早見本４６や携帯電話機４７を遠隔操作装置により前記センタ装置５０の記憶装置１２６に記憶された出力特性を読み込んだ後、それら遠隔操作装置から前記カラオケ装置１０へその読み出された出力特性を送信する態様について説明したが、例えば、前記遠隔操作装置による操作に応じて前記カラオケ装置１０により前記センタ装置５０の記憶装置１２６から出力特性を直接読み込ませるものであってもよい。
【００３５】
その他、一々例示はしないが、本発明はその趣旨を逸脱しない範囲内において種々の変更が加えられて実施されるものである。
【図面の簡単な説明】
【００３６】
【図１】本発明の音場設定システムが好適に適用される音楽再生装置の一例であるカラオケ装置の構成を説明する図である。
【図２】図１のカラオケ装置に備えられたＤＳＰの構成を説明するブロック線図である。
【図３】図１のカラオケ装置に備えられた電子早見本の構成を説明するブロック線図である。
【図４】図１の携帯電話機の構成を説明するブロック線図である。
【図５】図１のセンタ装置の構成を説明するブロック線図である。
【図６】図５のセンタ装置の記憶装置に設けられた出力特性データベースを例示する図である。
【図７】図１のカラオケ装置の音場設定システムを例示する図である。
【図８】図３の電子早見本のディスプレイに表示される音場設定画面を例示する図である。
【図９】図１のカラオケ装置のＣＰＵによる音場設定制御を説明するフローチャートである。
【符号の説明】
【００３７】
１０：カラオケ装置（音楽再生装置）
４４：リモコン（遠隔操作装置）
４６：電子早見本（遠隔操作装置）
４７：携帯電話機（遠隔操作装置）
１２６：記憶装置
１３２：音場設定システム
１３６：出力特性設定手段
【図１】
2006011190.tif 000003
【図２】
2006011190.tif 000004
【図３】
2006011190.tif 000005
【図４】
2006011190.tif 000006
【図５】
2006011190.tif 000007
【図６】
2006011190.tif 000008
【図７】
2006011190.tif 000009
【図８】
2006011190.tif 000010
【図９】
2006011190.tif 000011